(57)【特許請求の範囲】
【請求項１】
隣接する遊技台の間を仕切る中間仕切り板であって、
遊技島の膳板と、隣接する前記遊技台の前方領域の上部を仕切る上部仕切り板との間の間隙を仕切る仕切り板本体と、
前記膳板に取り付けられ、前記仕切り板本体の第１端部を支持する取付部と、を備え、
前記仕切り板本体がテーパ状に形成された側を有する突起部を有し、
前記取付部に貫通孔が設けられており、
前記仕切り板本体を前記取付部に押し込むことで前記突起部が前記貫通孔に嵌合され、前記仕切り板本体を前記取付部から離間する方向に引張ることで前記突起部が前記貫通孔から離脱するように構成し、前記仕切り板本体が前記取付部に着脱可能に支持されていることを特徴とする中間仕切り板。
【請求項２】
前記取付部が前記膳板に対し回動可能に取り付けられることを特徴とする請求項１に記載の中間仕切り板。
【請求項３】
前記仕切り板本体が、前記第１端部と反対側の自由端である第２端部に、前記膳板の前方側に設けられている突出部を回避するための切欠きを有することを特徴とする請求項１又は２に記載の中間仕切り板。
【発明の詳細な説明】
【技術分野】
【０００１】
本発明は、遊技島において、その膳板と上部仕切り板との間を仕切る中間仕切り板に関する。
【背景技術】
【０００２】
パチンコやパチスロ等が設置された遊技ホールでは、遊技に集中してもらうため、遊技者ごとに快適な遊技空間を提供している。特に、近年、分煙意識の向上に伴い、遊技島Ａに配置された遊技台Bの台間に分煙ボードを設置する遊技ホールが増えている（例えば、特許文献１参照）。
【０００３】
特許文献１では、透明な分煙ボードと、分煙ボードの上縁に取着された第１前後伸縮部材と、分煙ボードの下縁に取着された第２前後伸縮部材と、第１前後伸縮部材及び第２前後伸縮部材の各固着部の後端を上下連結する縦連結部材と、をもって構成された後付け用分煙板ユニットを備え、隣り合う遊技台の間に介設された間柱には、上下方向に差込スリットが貫設され、かつ、差込スリットの上端・下端には固着用窓部が形成され、分煙板ユニットを間柱の差込スリットに前方から差込むとともに固着部を固着用窓部に挿入係止して、分煙板ユニットを間柱に取り付けるように構成したことを特徴とする分煙構造体が開示されている。
【０００４】
しかしながら、特許文献１のような分煙構造体では、図１に示すように、上部仕切り板である分煙ボードＣ（後方の第１分煙ボードＣＡ、前方の第２分煙ボードＣＢ）の下縁に設けられた取付枠である第１前後伸縮部材ＣＡ１、第２前後伸縮部材ＣＢ２が、遊技島Ａの膳板Ｄと接する間柱の下端よりも少し上方に位置していることから、遊技島Ａの膳板Ｄと分煙ボードＣの間に間隙Ｇが生じており、隣席の遊技者のタバコの煙や臭いがその間隙Ｇを通して流れてくるという問題があった。また、遊技台からこぼれた遊技球が間隙Ｇを通って隣席の方へ転がっていくという問題があった。
【先行技術文献】
【特許文献】
【０００５】
【特許文献１】特開２０１５−４３８５７号公報
【発明の概要】
【発明が解決しようとする課題】
【０００６】
本発明は、上記のような事情に鑑みなされたものであり、遊技島において隣接する遊技台同士の分煙をより一層確実にするとともに、こぼれた遊技球の隣席への転がりを防止するための中間仕切り板を提供することを目的とする。
【課題を解決するための手段】
【０００７】
上記課題を解決するため、（１）本発明に係る第１の観点は、隣接する遊技台の間を仕切る中間仕切り板であって、遊技島の膳板と、隣接する前記遊技台の前方領域の上部を仕切る上部仕切り板との間の間隙を仕切る仕切り板本体と、前記膳板に取り付けられ、前記仕切り板本体の第１端部を支持する取付部と、を備えることを特徴とする。
【０００８】
（２）上記（１）の構成において、前記仕切り板本体は、前記取付部に着脱可能に支持されていてもよい。
【０００９】
（３）上記（１）又は（２）の構成において、前記取付部は、前記膳板に対し回動可能に取り付けられてもよい。
【００１０】
（４）上記（１）から（３）のいずれか１つにおいて、前記仕切り板本体は、前記第１端部と反対側の自由端である第２端部に、前記膳板の前方側に設けられている突出部を回避するための切欠きを有してもよい。
【発明の効果】
【００１１】
本発明によれば、遊技島において隣接する遊技台同士の分煙をより一層確実にするとともに、こぼれた遊技球の隣席への転がりを防止するための中間仕切り板を提供することができる。
【図面の簡単な説明】
【００１２】
【図１】従来の上部仕切り板と遊技島の膳板との関係を説明する図である。
【図２】本発明の実施形態に係る中間仕切り板の設置状況を示す図である。
【図３】同じく、遊技島の膳板と中間仕切り板との関係を示す斜視図である。
【図４】同じく、遊技島の膳板と中間仕切り板との関係を示す側面図である。
【図５】同じく、中間仕切り板の設置状況を説明する拡大図である。
【図６】同じく、中間仕切り板の回動を説明する図である。
【図７】同じく、中間仕切り板の斜視図である。
【図８】同じく、中間仕切り板の６面図（背面図は正面図と対称）であって、（ａ）は正面図、（ｂ）は左側面図、（ｃ）は右側面図、（ｄ）は平面図、（ｅ）は底面図である。
【発明を実施するための形態】
【００１３】
以下、添付図面を参照して、本発明を実施するための形態（以下、実施形態）について詳細に説明する。以降の図においては、実施形態の説明の全体を通して同じ要素には同じ番号又は符号を付している。
【００１４】
図２に示すように、遊技ホールには、複数の遊技島Ａが配置され、遊技島Ａごとに複数の遊技台Ｂが設置されている。隣接する遊技台Ｂの前方領域の上部には、上部仕切り板Ｃが設けられている。本実施形態に係る中間仕切り板１は、遊技島Ａの膳板Ｄと、上部仕切り板Ｃとの間の間隙を仕切るものである。
【００１５】
（上部仕切り板Ｃ）
まず、上部仕切り板Ｃについて、説明する。図２に示すように、遊技ホールには、複数の遊技島Ａが配置され、遊技島Ａごとに複数の遊技台Ｂが設置されている。遊技台Ｂの遊技者から見て右側には、ＣＲカードの読取りや、メダルの貸出しを行なう装置が設けられた台間が配置されている。上部仕切り板Ｃは、台間に配置されており、隣接する遊技台Ｂの前方領域の上部を仕切ることによって分煙や音漏れの防止などの役割を果たす。
【００１６】
ここでは、上部仕切り板Ｃとして、２枚の第１分煙ボードＣＡ、第２分煙ボードＣＢを可動に構成したものを示している。上部仕切り板Ｃは、これに限らず、遊技島Ａの構成、遊技台Ｂの配置、台間の距離などを勘案して、１枚の分煙ボードを固定したものを採用してもよいが、台間同士の距離が短くなれば、ここで示したような２枚の第１分煙ボードＣＡ、第２分煙ボードＣＢを可動に構成したものが好適である。後述するように、遊技者が着席又は離席する際に、第１分煙ボードＣＡ、第２分煙ボードＣＢを収納することによって、遊技者の動きがより一層スムースになるからである。
【００１７】
図２では、第１分煙ボードＣＡ及び第２分煙ボードＣＢを最大限引出した状態を示している。台間に対し摺動可能な一対の取付枠ＣＡ１には、第１分煙ボードＣＡが固定されている。さらに、一対の取付枠ＣＡ１には溝が設けられており、その溝には第２分煙ボードＣＢが固定されている一対の取付枠ＣＢ１が摺動可能に配置されている。これにより、第１分煙ボードＣＡは一対の取付枠ＣＡ１とともに台間に対し摺動可能であり、第２分煙ボードＣＢは一対の取付枠ＣＢ１とともに第１分煙ボードＣＡに対し摺動可能となる。
【００１８】
なお、上部仕切り板Ｃの構成はこれらに限定されるものではない。例えば、第１分煙ボードＣＡが台間に固定的に取り付けられ、第２分煙ボードＣＢが第１分煙ボードＣＡに対し摺動可能であってもよいし、回動可能又は折畳み可能に取り付けられていてもよい。回動可能なものの場合には、第１分煙ボードＣＡ又は取付枠ＣＡ１に支点を設け、第２分煙ボードＣＢをその支点を介して回転させることができる。また、折畳み可能なものの場合には、第１分煙ボードＣＡ又は取付枠ＣＡ１に例えば蝶番を設け、第２分煙ボードＣＢをその蝶番を介して折り畳ませることができる。
【００１９】
また、第１分煙ボードＣＡ及び第２分煙ボードＣＢの形状、寸法などは、図示されたものに限定されることはなく、遊技ホール等のニーズに合わせて選択することができる。その材質は軽量で丈夫なものであればよいが、遊技者の動作や遊技ホール等のメンテナンスなどの便宜のため、硬すぎないものが好ましい。
【００２０】
（中間仕切り板１）
次に、中間仕切り板１について、説明する。前述したように、上部仕切り板Ｃの態様にかかわらず、上部仕切り板Ｃの下縁と遊技島Ａの膳板Ｄとの間には、間隙Ｇ（図１参照）が生じる。中間仕切り板１は、この間隙Ｇを遮蔽するものであり、図３及び図４に示すように、遊技島Ａの膳板Ｄを前後方向に配置される。膳板Ｄは、遊技者の手持ちの小物類を載置したり、遊技台Ｂから獲得した遊技球を貯留した箱（ドル箱）を載置したりするために設けられており、それらが落下しないために、膳板Ｄの前方側の端部には突出部Ｄ１が形成されている。
【００２１】
中間仕切り板１は、仕切り板本体１０、取付部２０を備えている。仕切り板本体１０は、遊技島Ａの膳板Ｄと、隣接する遊技台Ｂの前方領域の上部を仕切る上部仕切り板Ｃとの間の間隙Ｇを仕切る部分であり、取付部２０は、膳板Ｄに取り付けられ、仕切り板本体１０の第１端部１１を支持する部分である。この構成により、中間仕切り板１は、遊技島において隣接する遊技台同士の分煙をより一層確実にするとともに、こぼれた遊技球の隣席への転がりを防止する。
【００２２】
仕切り板本体１０は、図５に示すように、ここでは略矩形の板状に形成されている。その形状は略矩形に限られることなく、例えばその上縁は、上部仕切り板Ｃの下縁の形状に対応して形成すればよい。仕切り板本体１０の素材は、成形容易性の観点から樹脂によって構成されることが好ましいが、金属やアルミニウム等の素材によって構成してもよい。仕切り板本体１０を樹脂で構成した場合には、所定の強度を付与するために仕切り板本体１０の側面にリブ（不図示）を設けてもよい。
【００２３】
仕切り板本体１０の第１端部１１は、後述する取付部２０に支持されており、反対側の第２端部１２は、自由端となっている。第１端部１１は、取付部２０に着脱可能に嵌合されていることが好ましい。着脱可能とすることにより、例えば、遊技台Ｂを新台に入れ替えたりする際に、仕切り板本体１０を取付部２０から取り外して作業を容易に行うことが可能となる。
【００２４】
着脱可能な構成としては、例えば、仕切り板本体１０の第１端部１１にオス側部位を、取付部２０にメス側部位をそれぞれ設けて、着脱が容易に行えるようにワンタッチ式係合とすることが好ましい。着脱可能な構成の例については、項をあらためて後述する。
【００２５】
さらにまた、仕切り板本体１０は、図６に示すように、着脱可能に加えて、又は代えて、膳板Ｄに対して矢印Ｙの方向に回動可能に軸支されるように取り付けてもよい。回動可能な構成としては、例えば、取付部２０を膳板Ｄに回動可能に軸支してもよいし、取付部２０を膳板Ｄに固定したうえで仕切り板本体１０を取付部２０に対して回動可能に軸支してもよい。矢印Ｙの方向に回動可能とすることにより、例えば、膳板Ｄや遊技台Ｂを清掃したりする際に、仕切り板本体１０を退避させて作業を容易に行うことが可能となる。
【００２６】
仕切り板本体１０の第１端部１１とは反対側の第２端部１２には、膳板Ｄの突出部Ｄ１との接触を回避するため、切欠部１２ａが形成されている。この切欠部１２ａを有することによって、仕切り板本体１０は、前後方向に装着したり回転させたりしても、突出部Ｄ１に衝突することがない。また、これによって、仕切り板本体１０を膳板Ｄの突出部Ｄ１をカバーする長さにまで設定することができ、間隙Ｇ（図１参照）をより一層遮蔽することが可能となる。
【００２７】
次に、中間仕切り板１の構成について、図７及び図８を参照して説明する。
【００２８】
中間仕切り板１は、図７及び図８に示すように、仕切り板本体１０がその第１端部１１が取付部２０に支持されて構成されている。取付部２０は、図８（ｄ）に示すように、平面視において「コ」の字状に構成されており、その両面にはメス側部位として貫通孔２０ａが設けられている。仕切り板本体１０は、第１端部１１の下方の両面にオス側部位として突起部１１ａが設けられている。
【００２９】
仕切り板本体１０の突起部１１ａは、その奥側すなわち取付部２０側がテーパ状に形成されており、取付部２０の側へ押し込むことによって、貫通孔２０ａに嵌合される。仕切り板本体１０を取付部２０から取り外す際には、仕切り板本体１０を取付部２０から離間する方向に引張ることで、「コ」の字状に形成されている取付部２０の板バネ効果により、突起部１１ａを貫通孔２０ａから離脱させる。
【００３０】
なお、仕切り板本体１０を取付部２０に装着する態様としては、図示されているものに限られるものではない。例えば、仕切り板本体１０のオス側部位を可撓性の一対のアームによって形成し、取付部２０のメス側部位を一対のアームが差し込まれるソケット穴によって形成してもよい。このように構成すると、一対のアームを指を用いて押し込むことによってソケット穴から離脱させることが可能となる。
【００３１】
また、中間仕切り板１を回動可能に構成する場合は、例えば次のようにすることができる。取付部２０を膳板Ｄに対して回動可能なようにする場合には、取付部２０の背面２０ｂを角丸の「Ｕ」の字状に構成したうえで縦方向の回転軸を設けたり、背面２０ｂに蝶番を設けたりしてもよい。仕切り板本体１０を取付部２０に対して回動可能なようにする場合には、取付部２０の内部に棒状部材を立設しておき、仕切り板本体１０に形成した半円状の一対の部材によって棒状部材を挟むようにしてもよい。
【００３２】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００３３】
１…中間仕切り板
１０…仕切り板本体
１１…第１端部
１２…第２端部
１２ａ…切欠部
２０…取付部
２０ａ…貫通孔
２０ｂ…背面
Ａ…遊技島
Ｂ…遊技台
Ｃ…上部仕切り板
ＣＡ…分煙ボード
Ｄ…膳板
Ｇ…間隙
【図１】
0006788155.tif 000002
【図２】
0006788155.tif 000003
【図３】
0006788155.tif 000004
【図４】
0006788155.tif 000005
【図５】
0006788155.tif 000006
【図６】
0006788155.tif 000007
【図７】
0006788155.tif 000008
【図８】
0006788155.tif 000009